(57)【要約】      （修正有）【課題】インナーカートンをアウタースリーブから所定位置まで引き出すと振り出し口が開口して、内容物を必要量だけ振り出すことができ、且つ振り出し口の開閉時に、インナーカートンがアウタースリーブに対して自然にロックされ離脱しないようにした振り出し容器を提供する。【解決手段】スリーブとカートンの互いに接する一側面に、それぞれに内容物の振り出し口１５等を形成する。スリーブ側の一稜線には、前記振り出し口に連続方向のスリットを形成する一方、カートン側にはその一稜線上から立ち上がり、前記スリーブに設けた振り出し口とスリットに掛合う係止突起９をカートンの一側面に設ける。【選択図】図１
0003152629.tif 000002
【実用新案登録請求の範囲】
【請求項１】
アウタースリーブとアウタースリーブに差し込んだインナーカートンとからなる振り出し容器において、
インナーカートンは、矩形状底板の周囲に４枚の側板を立ち上げ、上面は内蓋によって開放できるようにした直方体の箱であり、一側面に内容物の振り出し口を形成し、さらにその側面と前記内蓋とがなす稜線上から立ち上がり、アウタースリーブ側に突き出る係止突起を設けてなり、
アウタースリーブは、４枚の矩形状外面板を連繋して角筒状に形成するとともに、前記インナーカートンに設けた振り出し口と摺接する一外面に内容物の振り出し口を形成するとともに、その振り出し口と連続するように、前記一外面とこれに連なる外面板とがなす稜線に沿って、前記係止突起が係合して摺動できるスリットを設けてなる、
ことを特徴とするスライド式振り出し容器。
【請求項２】
前記アウタースリーブ内にインナーカートンを差し込んで前記スリット内を係止突起を摺動させたときに、アウタースリーブとインナーカートンの振り出し口が開閉し、同時にインナーカートンがアウタースリーブに対して自然にロックされ離脱しないようにしたことを特徴とする請求項１に記載のスライド式振り出し容器
【考案の詳細な説明】
【技術分野】
【０００１】
本考案はインナーカートンをアウタースリーブから所定位置まで引き出すと振り出し口が開口して、内容物を必要量だけ振り出すことができ、且つ振り出し口の開閉時に、インナーカートンがアウタースリーブに対して自然にロックされ離脱しないようにした振り出し容器に関するものである。
【背景技術】
【０００２】
従来から、例えばガム・チョコレート・キャラメル等の粒状の菓子食品を入れて、その内容物を取り出した後、再封して繰り返し使用することができる振り出し容器は知られている。
また、アウタースリーブと、アウタースリーブに差し込んだスライド式インナーカートンとから構成され、アウタースリーブからインナーカートンが離脱しないように、インナーカートンの所定位置にロック片を設け、インナーカートンとアウタースリーブの相対位置を変化させると、内容物取出し口が開口すると同時にインナーカートンのロックがかかるようにしたスライド式カートンも、たとえば下記特許文献等により知られている。
【先行技術文献】
【特許文献】
【０００３】
【特許文献１】実開平７−２２９１２号公報
【特許文献２】特開２００６−１６１７号公報
【特許文献３】特開２００５−１７０３９１号公報
【考案の概要】
【考案が解決しようとする課題】
【０００４】
しかし上述した従来のカートンは、アウタースリーブからインナーカートンをスライドさせて引き出したときの、アウタースリーブとインナーカートンを所定位置で係止させるロック機構が複雑であった。
また、カートンの組立てが難しく、製造コストも高くつくという問題があった。
【０００５】
本考案は、従来のカートンの問題点を解決したものであり、アウタースリーブとインナーカートンを組み立て易いものとし、また通常の製函設備で製造できる振り出し容器を提供するものである。
すなわち本考案は、アウタースリーブにスリットを設け、インナーカートンに、これと掛合う突起を形成することにより、インナーカートンをアウタースリーブから所定位置まで引き出すと振り出し口が開口して、内容物を振り出すことができ、且つ振り出し口の開閉時に、インナーカートンがアウタースリーブに対して自然にロックされ容易に離脱しない振り出し容器を提供することを課題とする。
【０００６】
本考案は、上記課題を解決するため、角筒状の形成された下記構造のアウタースリーブと、このアウタースリーブに差し込んだインナーカートンとから
すなわち本考案は、アウタースリーブとアウタースリーブに差し込んだインナーカートンとからなる振り出し容器において、
インナーカートンは、矩形状底板の周囲に４枚の側板を立ち上げ、上面は内蓋によって開放できるようにした直方体の箱であり、一側面に内容物の振り出し口を形成し、さらにその側面と前記内蓋とがなす稜線上から立ち上がり、アウタースリーブ側に突き出る係止突起を設けてなり、
アウタースリーブは、４枚の矩形状外面板を連繋して角筒状に形成するとともに、前記インナーカートンに設けた振り出し口と摺接する一外面に内容物の振り出し口を形成するとともに、その振り出し口と連続するように、前記一外面とこれに連なる外面板とがなす稜線に沿って、前記係止突起が係合して摺動できるスリットを設けてなることが特徴である。
【０００７】
そして、前記アウタースリーブ内にインナーカートンを差し込んで前記スリット内を係止突起を摺動させたときに、アウタースリーブとインナーカートンの振り出し口が開閉し、同時にインナーカートンがアウタースリーブに対して自然にロックされ離脱しないようにしたスライド式振り出し容器を提供するものである。
【考案の効果】
【０００８】
本考案のスライド式振り出し容器は、インナーカートンをスライドさせ、開口部をアウタースリーブの開口部に合わせることで内容物を取り出すことができる振り出し容器を簡単な構成で実現した。そしてアウタースリーブとインナーカートンとの間に設けるロックが簡単な構造である。また、アウタースリーブとインナーカートンを形成するブランクシートをダイカットして通常の製函設備で製造が可能である。
【図面の簡単な説明】
【０００９】
【図１】図１はインナーカートンをスライドさせ、内容物を取り出す開封時の斜視図である。
【図２】図２は図１の容器の閉塞時の斜視図である。
【図３】図３はインナーカートンの組立て状態の斜視図である。
【図４】図４はインナーカートンの展開図である。
【図５】図５はアウタースリーブの展開図である。
【考案を実施するための形態】
【００１０】
（実施例）
本考案の振り出し容器はインナーカートンＡとアウタースリーブＢを組み合わせることにより、内容物を必要量だけ振り出すことができ、且つ振り出し口の開閉時に、インナーカートンがアウタースリーブに対して自然にロックされ離脱しないようなっている。図４と図５は、本考案で使用するインナーカートンＡとアウタースリーブＢの展開図である。
【００１１】
先ず図４により、インナーカートンのブランクの構成を説明する。符号１は矩形の底板、２ａと２ｂはその底板の両側に対向するように連接した左右一対の側板である。３ａ、３ｂは、底板1の両端部に対向するように折り目線を介し連設した前後の側板、また、４ａと４ｂはその側板に連接した折込片、５ａと５ｂは両側板２ａと２ｂの両端部に連設した内折込片である。符号６は一側面に連接した内蓋で、底板１に対応した大きさに形成されている。８はその一側面に設けた内容物の振り出し口である。なお振り出し口８は側板の端側に片寄せて形成されている。
またその一側面と内蓋6とがなす稜線７に沿って、係止突起９が形成されている。図4のように、この係止突起９は内蓋８から、振り出し口３側に少々突き出るように形成する。
【００１２】
図５はアウタースリーブＢのブランクの展開図である。このアウタースリーブは折り目線を介し４枚の矩形状の外面板１０〜１３を順次連設し、前記の４枚の各板を連繋して角筒状に形成して、前記インナーカートンの外ケースとして使用することができるようにされている。図において先ず符号１４が糊代片である。
【００１３】
前記外面板１０〜１３のうち、前記インナーカートンに設けた振り出し口８と摺接する一外面には、これと対応する大きさの振り出し用開口１５を形成する。また、前記一外面とこれに連なる外面板１１とがなす稜線１７に沿い、前記係止突起９と略同じ幅で、前記開口１５と連通するスリット孔１６を切り込み形成するのである。
【００１４】
上記のように構成されたインナーカートンＡのブランクを組立てた後、その中に粒状の菓子食品を入れ、図１及び図２のように再封して繰り返し使用することができる。以下本実施例の組立て法と使用方法を簡単に説明する。
【００１５】
インナーカートンＡは、定法通り先ず底板１の四周に左右の側板２ａと２ｂと前後の側板３ａと３ｂを直角に立ち上げ、折込片と内折込片を折って上面が内蓋６により開放できる直方体状の箱を形成する。
またアウタースリーブＢのブランクは、インナーカートンＡの外側に図１及び図２のように巻きつけ、両方の開口部８と１５を合わせ、続いてアウタースリーブ側の振り出し口１５に形成したスリット１６から、インナーカートン側の係止突起９が突き出るようにする。
【００１６】
このように、通常の製函設備で製造が可能なインナーカートンＡとアウタースリーブＢは、簡単に内外一体に組み立てられることとなる。そして、インナーカートンをアウタースリーブから所定位置まで引き出すと振り出し口が開口して、内容物を振り出すことができ、且つ振り出し口の開閉時に、インナーカートンがアウタースリーブに対して自然にロックされ容易に離脱しないものとなる。
【符号の説明】
【００１７】
Ａ  インナーカートン
Ｂ  アウタースリーブ
１  底板
２ａ，２ｂ  左右の側板
３ａ、３ｂ  前後の側板
４ａ，４ｂ  折込片
５ａ，５ｂ  内折込片
６  内蓋
８、１５  振り出し口
９  係止突起
１０、１１、１２  １３  外面板
１３  接着片
１６  スリット
【図１】
0003152629.tif 000003
【図２】
0003152629.tif 000004
【図３】
0003152629.tif 000005
【図４】
0003152629.tif 000006
【図５】
0003152629.tif 000007